(57)【要約】【課題】データの損失を防止することができる取引装置および監視方法を提供する。【解決手段】取引装置は、取得部と、判定部と、検知部と、制御部とを有する。取得部は、床面からの水位を検出する水位センサから、検出した水位を取得する。判定部は、取得した水位が第１の所定値未満であるか否か、または、取得した水位の上昇速度が第２の所定値以上であるか否かを判定する。検知部は、判定の結果、取得した水位が第１の所定値以上であると判定した場合、または、取得した水位の上昇速度が第２の所定値以上であると判定した場合に、水害による浸水であると検知する。制御部は、検知部が水害による浸水であると検知した場合に、オペレーティングシステムをシャットダウンする。【選択図】図３
2020119330.tif 000002
【特許請求の範囲】
【請求項１】
床面からの水位を検出する水位センサから、検出した水位を取得する取得部と、
取得した前記水位が第１の所定値未満であるか否か、または、取得した前記水位の上昇速度が第２の所定値以上であるか否かを判定する判定部と、
判定の結果、取得した前記水位が前記第１の所定値以上であると判定した場合、または、取得した前記水位の上昇速度が前記第２の所定値以上であると判定した場合に、水害による浸水であると検知する検知部と、
前記検知部が水害による浸水であると検知した場合に、オペレーティングシステムをシャットダウンする制御部と、
を有することを特徴とする取引装置。
【請求項２】
前記制御部は、前記検知部が水害による浸水であると検知した場合に、ジャーナルデータを外部記録媒体に記憶してから、前記オペレーティングシステムをシャットダウンする、
ことを特徴とする請求項１に記載の取引装置。
【請求項３】
前記外部記録媒体は、光学メディア、または、前記取引装置の上部に設置されたソリッドステートドライブである、
ことを特徴とする請求項２に記載の取引装置。
【請求項４】
前記制御部は、前記検知部が水害による浸水であると検知した場合に、ジャーナルデータを記憶する記憶部に対して防水処理を行う、
ことを特徴とする請求項１に記載の取引装置。
【請求項５】
さらに、前記制御部から前記オペレーティングシステムのシャットダウンの完了を示す信号が入力されると、前記取引装置の電源ラインに設けられたラッチリレーを切断する電源制御部、
を有することを特徴とする請求項１〜４のいずれか１つに記載の取引装置。
【請求項６】
床面からの水位を検出する水位センサから、検出した水位を取得し、
取得した前記水位が第１の所定値未満であるか否か、または、取得した前記水位の上昇速度が第２の所定値以上であるか否かを判定し、
判定の結果、取得した前記水位が前記第１の所定値以上であると判定した場合、または、取得した前記水位の上昇速度が前記第２の所定値以上であると判定した場合に、水害による浸水であると検知し、
水害による浸水であると検知した場合に、オペレーティングシステムをシャットダウンする、
処理を取引装置が実行することを特徴とする監視方法。
【発明の詳細な説明】
【技術分野】
【０００１】
本発明は、取引装置および監視方法に関する。
【背景技術】
【０００２】
ＡＴＭ（Automated  Teller  Machine）等の取引装置が設置されている建屋に対して、台風や津波等の自然災害による浸水が発生する場合がある。取引装置は、紙幣処理ユニットやカード処理ユニット等の各種ユニット構成の都合上、制御部が底面近くにある場合が多い。このため、ＡＴＭが設置されている建屋が浸水すると、早期にデータ消失等の被害が発生することがある。これに対し、自装置にのみ記憶されている取引情報をＡＴＭの装置上部のバックアップ記憶部に記憶することが提案されている。
【先行技術文献】
【特許文献】
【０００３】
【特許文献１】特開２０１０−２７７２０９号公報
【発明の概要】
【発明が解決しようとする課題】
【０００４】
しかしながら、ＡＴＭの内部で浸水によるショートが発生して異常電流が流れ、予期しない電源断が発生する場合がある。このため、バックアップ記憶部のデータが破壊され、データの損失が発生する場合がある。
【０００５】
一つの側面では、データの損失を防止することができる取引装置および監視方法を提供することにある。
【課題を解決するための手段】
【０００６】
一つの態様では、取引装置は、取得部と、判定部と、検知部と、制御部とを有する。取得部は、床面からの水位を検出する水位センサから、検出した水位を取得する。判定部は、取得した前記水位が第１の所定値未満であるか否か、または、取得した前記水位の上昇速度が第２の所定値以上であるか否かを判定する。検知部は、判定の結果、取得した前記水位が前記第１の所定値以上であると判定した場合、または、取得した前記水位の上昇速度が前記第２の所定値以上であると判定した場合に、水害による浸水であると検知する。制御部は、前記検知部が水害による浸水であると検知した場合に、オペレーティングシステムをシャットダウンする。
【発明の効果】
【０００７】
データの損失を防止することができる。
【図面の簡単な説明】
【０００８】
【図１】図１は、実施例１のＡＴＭの一例を示す外観図である。
【図２】図２は、実施例１のＡＴＭにおける水位センサの設置位置の一例を示す図である。
【図３】図３は、実施例１のＡＴＭのハードウェア構成の一例を示すブロック図である。
【図４】図４は、実施例１のＡＴＭの機能構成の一例を示すブロック図である。
【図５】図５は、水位の一例を示す図である。
【図６】図６は、水位の上昇速度の算出の一例を示す図である。
【図７】図７は、浸水検知画面の一例を示す図である。
【図８】図８は、電源制御部と電源盤および制御部との接続の一例を示す図である。
【図９】図９は、電源制御部の構成の一例を示す図である。
【図１０】図１０は、実施例１の浸水検知処理の一例を示すフローチャートである。
【図１１】図１１は、実施例１の浸水対策処理の一例を示すフローチャートである。
【図１２】図１２は、実施例１の電源断処理の一例を示すフローチャートである。
【図１３】図１３は、実施例２の浸水対策処理の一例を示すフローチャートである。
【図１４】図１４は、実施例３のＡＴＭにおけるＳＳＤの設置位置の一例を示す図である。
【図１５】図１５は、実施例４のＡＴＭにおける防水処理の一例を示す図である。
【図１６】図１６は、実施例４の浸水対策処理の一例を示すフローチャートである。
【発明を実施するための形態】
【０００９】
以下、図面に基づいて、本願の開示する取引装置および監視方法の実施例を詳細に説明する。なお、以下の実施例により、開示技術が限定されるものではない。また、以下の実施例は、矛盾しない範囲で適宜組みあわせてもよい。
【実施例１】
【００１０】
（ＡＴＭの外観）
図１は、実施例１のＡＴＭの一例を示す外観図である。図１に示すＡＴＭ１は、人体センサ１１と、スピーカ１２と、カード投入口１３ａと、通帳投入口１４ａと、表示ユニット１５と、紙幣入出金口１６ａと、硬貨入出金口１７ａとを有する。人体センサ１１は、ＡＴＭの利用者を検知する。スピーカ１２は、例えば案内音声を出力する。カード投入口１３ａには、磁気カードまたはＩＣカードが投入される。通帳投入口１４ａには、通帳が投入される。表示ユニット１５は、表示部とタッチパネルとを有し、利用者の操作を受け付ける。紙幣入出金口１６ａには紙幣が投入され、出金紙幣が紙幣入出金口１６ａから排出される。硬貨入出金口１７ａには硬貨が投入される。硬貨入出金口１７ａからは、出金硬貨が排出される。
【００１１】
図２は、実施例１のＡＴＭにおける水位センサの設置位置の一例を示す図である。図２に示すように、例えば、ＡＴＭ１では、筐体前部に水位センサ１８を設置する。水位センサ１８は、先端が床面に接するように配置され、床面からの水位を計測することができる。また、ＡＴＭ１では、電源盤１９、制御部２０および記憶部２１が、紙幣処理ユニットやカード処理ユニット等の各種ユニット構成の都合上、筐体の底面近くに配置されている。すなわち、水位センサ１８は、床面から浸水の影響を受けやすい電源盤１９、制御部２０および記憶部２１までの水位を計測する。
【００１２】
（ＡＴＭの構成）
図３は、実施例１のＡＴＭのハードウェア構成の一例を示すブロック図である。図３に示すように、ＡＴＭ１は、カード処理ユニット１３と、通帳処理ユニット１４と、表示ユニット１５と、紙幣処理ユニット１６と、硬貨処理ユニット１７と、水位センサ１８と、電源盤１９と、制御部２０と、外部記録媒体２８と、電源制御部３０とを有する。
【００１３】
カード処理ユニット１３は、カード投入口１３ａに投入された磁気カードまたはＩＣカードに記録された情報（以下、カード記録情報ともいう。）を読み取って、読み取ったカード記録情報を制御部２０に出力する。
【００１４】
通帳処理ユニット１４は、通帳投入口１４ａに投入された通帳の磁気ストライプに記録された情報（以下、通帳記録情報ともいう。）を読み取って、読み取った通帳記録情報を制御部２０に出力する。また、通帳処理ユニット１４は、制御部２０から入力された情報に基づいて、通帳に記帳を行う。
【００１５】
表示ユニット１５は、表示部１５ａと、タッチパネル１５ｂとを有する。表示部１５ａとタッチパネル１５ｂとは、一体化されている。表示部１５ａは、各種情報を表示するための表示デバイスである。表示部１５ａは、例えば、表示デバイスとして液晶ディスプレイ等によって実現される。表示部１５ａは、制御部２０から入力された表示画面等の各種画面を表示する。タッチパネル１５ｂは、ＡＴＭ１の利用者から各種操作を受け付ける入力デバイスである。タッチパネル１５ｂは、利用者によって入力された操作を操作情報として制御部２０に出力する。
【００１６】
紙幣処理ユニット１６は、紙幣入出金口１６ａに投入された紙幣を鑑別および計数し、取引が成立すると券種ごとにカセットに格納する。また、紙幣処理ユニット１６は、券種ごとのカセットから出金される紙幣を計数し、出金紙幣を紙幣入出金口１６ａから排出する。
【００１７】
硬貨処理ユニット１７は、硬貨入出金口１７ａに投入された硬貨を計数し、取引が成立すると金種ごとにカセットに格納する。また、硬貨処理ユニット１７は、金種ごとのカセットから出金される硬貨を計数し、出金硬貨を硬貨入出金口１７ａから排出する。
【００１８】
水位センサ１８は、ＡＴＭ１が設置された床面からの水位を計測する。水位センサ１８は、例えば、静電容量方式や抵抗方式といった各種方式によって、水位の時間変化を計測可能である。水位センサ１８は、計測した水位ｈを制御部２０に出力する。
【００１９】
電源盤１９は、ＡＴＭ１に電源を供給する電源部である。電源盤１９は、ＡＴＭ１の各部や各ユニットに対して電源を供給する。例えば、電源盤１９は、制御部２０に対してオペレーティングシステム（以下、ＯＳともいう。）電源と、スタンバイ（以下、ＳＴＢともいう。）電源とを供給する。
【００２０】
制御部２０は、ＡＴＭ１全体の動作を司る。制御部２０は、ＳＳＤ／ＨＤＤ（Solid  State  Drive／Hard  Disk  Drive）２１ａと、ＲＡＭ（Random  Access  Memory）２２と、ＣＰＵ（Central  Processing  Unit）２３と、通信制御部２４と、入出力インタフェース２５と、グラフィック処理部２６と、浸水検知部２７と、ＯＳ電源監視部２９とを有する。また、制御部２０は、浸水対策処理を実行する。なお、この場合において、制御部２０に対する浸水検知部２７からの浸水検知信号の入力は、制御部２０で実行されている浸水対策処理のプロセスに対する入力であるとする。
【００２１】
ＳＳＤ／ＨＤＤ２１ａは、記憶部２１の一例である。ＳＳＤ／ＨＤＤ２１ａは、取引情報、および、ＡＴＭ１の動作に関するログ等のジャーナルデータ等を記憶する。また、ＳＳＤ／ＨＤＤ２１ａは、制御部２０での処理に用いるプログラムや情報を記憶する。
【００２２】
ＲＡＭ２２は、主記憶装置の一例である。ＲＡＭ２２は、例えば、ＤＤＲ４  ＳＤＲＡＭ（Double-Data-Rate4  Synchronous  Dynamic  Random  Access  Memory）等を用いることができる。ＲＡＭ２２では、ＣＰＵ２３によってＳＳＤ／ＨＤＤ２１ａに記憶されたプログラムが読み出されて展開されることで、ＣＰＵ２３による各種の処理が実行される。
【００２３】
ＣＰＵ２３は、中央処理装置の一例である。ＣＰＵ２３は、ＳＳＤ／ＨＤＤ２１ａに記憶されているプログラムを、ＲＡＭ２２を作業領域として実行することで、各種の処理を実行する。
【００２４】
通信制御部２４は、例えば、ＮＩＣ（Network  Interface  Card）等によって実現される。通信制御部２４は、図示しないネットワークを介して勘定系システムと接続され、勘定系システムとの間で情報の通信を司る通信インタフェースである。
【００２５】
入出力インタフェース２５は、カード処理ユニット１３と、通帳処理ユニット１４と、タッチパネル１５ｂと、紙幣処理ユニット１６と、硬貨処理ユニット１７と接続され、これらのユニット等との間で情報をやりとりする。また、入出力インタフェース２５には、外部記録媒体２８が接続される。ＣＰＵ２３で動作するプログラムは、入出力インタフェース２５を介して外部記録媒体２８の読み書きを行う。
【００２６】
グラフィック処理部２６は、ＣＰＵ２３で動作するプログラムの指示に基づいて、表示部１５ａに表示する画面を描画する。グラフィック処理部２６は、描画した画面データを表示部１５ａに出力して画面を表示させる。
【００２７】
浸水検知部２７は、水位センサ１８で検出した水位を取得し、台風や津波等の自然災害（以下、水害ともいう。）による浸水を検知する。浸水検知部２７は、水害による浸水を検知すると、浸水検知信号を電源制御部３０に出力する。
【００２８】
外部記録媒体２８は、ジャーナルデータ等をバックアップするための記録媒体である。外部記録媒体２８は、例えば、ＤＶＤやＢＤ（Blu-ray（登録商標）  Disc）等の光学メディアのドライブと、対応する光学メディアとを有する。
【００２９】
ＯＳ電源監視部２９は、制御部２０で動作するＯＳの状態を監視する。ＯＳ電源監視部２９は、ＯＳがシャットダウンされたことを検知すると、ＯＳ断信号を電源制御部３０に出力する。
【００３０】
電源制御部３０は、浸水検知信号およびＯＳ断信号に基づいて、電源盤１９における外部の電源ラインとの接続を制御する。
【００３１】
次に、図４を用いて浸水検知に関する機能構成について説明する。図４に示すように、ＡＴＭ１の制御部２０には、水位センサ１８と、電源盤１９と、外部記録媒体２８と、電源制御部３０とが接続されている。また、電源盤１９は、電源制御部３０と接続されている。制御部２０の浸水検知部２７は、取得部２７１と、判定部２７２と、検知部２７３とを有する。
【００３２】
取得部２７１は、水位センサ１８から検出された水位ｈを取得する。取得部２７１は、水位の読み出しサイクルΔｔ（例えば、５秒）ごとに水位センサ１８から検出された水位ｈを取得する。取得部２７１は、取得した水位ｈを判定部２７２に出力する。
【００３３】
ここで、図５および図６を用いて水位と水位の上昇速度について説明する。図５は、水位の一例を示す図である。図５に示すように、ＡＴＭ１の下部から浸水する場合、水位が電源盤１９に到達する前に、水位および水位の上昇速度を検出することが求められる。図５の例では、水位センサ１８が水位ｈを検出して制御部２０に出力する。制御部２０は、水位ｈが第１の所定値以上であると判定した場合には、浸水を検知して浸水対策処理を実行する。
【００３４】
図６は、水位の上昇速度の算出の一例を示す図である。図６に示すように、水位ｈの上昇速度ＲＳは、水位センサ１８で検出される時刻ｔにおける水位ｈと、時刻ｔから読み出しサイクルΔｔ後の時刻ｔ’における水位ｈ’との差分Δｈに基づいて、算出することができる。制御部２０は、上昇速度ＲＳが第２の所定値以上であると判定した場合には、浸水を検知して浸水対策処理を実行する。
【００３５】
図４の説明に戻って、判定部２７２は、取得部から水位ｈが入力されたか否かを判定する。つまり、判定部２７２は、時刻ｔにおいて水位ｈを検出したか否かを判定する。判定部２７２は、時刻ｔにおいて水位ｈを検出していないと判定した場合、引き続き水位ｈの入力を待機する。判定部２７２は、時刻ｔにおいて水位ｈを検出したと判定した場合、水位ｈが第１の所定値Ｈ１未満であるか否かを判定する。判定部２７２は、水位ｈが第１の所定値Ｈ１未満でない、つまり第１の所定値以上であると判定した場合、浸水情報を検知部２７３に出力する。
【００３６】
判定部２７２は、水位ｈが第１の所定値Ｈ１未満であると判定した場合、時刻ｔから読み出しサイクルΔｔ後の時刻ｔ’において水位ｈ’を検出したか否かを判定する。判定部２７２は、時刻ｔ’において水位ｈ’を検出していないと判定した場合、水位ｈの検出が一時的なものであったとして、水位ｈの入力を待機する。
【００３７】
判定部２７２は、時刻ｔ’において水位ｈ’を検出したと判定した場合、水位ｈ’が第１の所定値Ｈ１未満であるか否かを判定する。判定部２７２は、水位ｈ’が第１の所定値Ｈ１未満でない、つまり第１の所定値以上であると判定した場合、浸水情報を検知部２７３に出力する。
【００３８】
判定部２７２は、水位ｈ’が第１の所定値Ｈ１未満であると判定した場合、水位ｈ’が水位ｈを超えるか否かを判定する。判定部２７２は、水位ｈ’が水位ｈ以下であると判定した場合、水位ｈは上昇していないとして、水位ｈの入力を待機する。
【００３９】
判定部２７２は、水位ｈ’が水位ｈを超えると判定した場合、水位ｈの上昇速度ＲＳを算出する。上昇速度ＲＳは、下記の式（１）で求めることができる。
【００４０】
ＲＳ＝（ｈ’−ｈ）／（ｔ’−ｔ）                ・・・（１）
【００４１】
判定部２７２は、算出した上昇速度ＲＳが所定の上昇速度Ｓ以上であるか否かを判定する。判定部２７２は、上昇速度ＲＳが所定の上昇速度Ｓ未満であると判定した場合、水位ｈの上昇速度ＲＳはあまり速くないものとして、水位ｈの入力を待機する。なお、上昇速度Ｓは、第２の所定値の一例である。
【００４２】
判定部２７２は、上昇速度ＲＳが所定の上昇速度Ｓ以上であると判定した場合、浸水情報を検知部２７３に出力する。
【００４３】
検知部２７３は、判定部２７２から浸水情報が入力されると、水害による浸水であると検知する。検知部２７３は、水害による浸水であると検知すると、浸水検知信号を制御部２０および電源制御部３０に出力する。
【００４４】
ここで、水位ｈの上昇速度ＲＳの算出の一例について説明する。まず、読み出しサイクルΔｔは、５秒とする。浸水検知部２７は、時刻ｔにおいて水位ｈ＝０．５ｍｍを検出したとする。浸水検知部２７は、時刻ｔから５秒後の時刻ｔ’において水位ｈ’＝５．５ｍｍを検出したとする。浸水検知部２７は、この場合、時刻ｔと時刻ｔ’における水位ｈの差分Δｈを、Δｈ＝（ｈ’−ｈ）に基づいて、Δｈ＝（５．５−０．５）＝５ｍｍと算出する。また、浸水検知部２７は、（ｔ’−ｔ）＝Δｔであるので、上昇速度ＲＳは、Ｓ１＝５ｍｍ／５秒＝１ｍｍ／秒と算出する。
【００４５】
浸水検知部２７は、例えば、第１の所定値Ｈ１＝１００ｍｍとすると、水位ｈまたは水位ｈ’が第１の所定値Ｈ１以上であると判定した場合、上昇速度ＲＳの値に関わらず、浸水検知信号を制御部２０および電源制御部３０に出力する。また、浸水検知部２７は、例えば、所定の上昇速度Ｓ＝１ｍｍ／秒とすると、算出した上昇速度ＲＳが所定の上昇速度Ｓ以上であると判定した場合も同様に、浸水検知信号を制御部２０および電源制御部３０に出力する。
【００４６】
また、浸水対策処理に用いることができる時間は、通電部の高さ、例えば、図５における床面から電源盤１９までの高さが１５ｃｍであるとした場合、（１５０ｍｍ−５．５ｍｍ）／１［ｍｍ／秒］）＝１４４．５秒と算出することができる。
【００４７】
次に、制御部２０に浸水検知信号が入力された場合の浸水検知画面について説明する。図７は、浸水検知画面の一例を示す図である。制御部２０は、浸水検知部２７から浸水検知信号が入力されると、顧客待ちの状態であれば、図７に示す浸水検知画面４０を表示してシャットダウン処理を実行する。また、制御部２０は、取引中であれば、取引を中止してから浸水検知画面４０を表示してシャットダウン処理を実行する。
【００４８】
続いて、図８および図９を用いて電源制御部３０について説明する。図８は、電源制御部と電源盤および制御部との接続の一例を示す図である。図８に示すように、電源制御部３０は、電源盤１９の電源ラインＬ１，Ｌ２について、ラッチリレー３１を用いて開放／接続（ＯＦＦ／ＯＮ）を制御する。電源盤１９の電源ラインＬ１，Ｌ２は、ラッチリレー３１を介して外部の電源ラインに接続される。また、電源盤１９の保護接地ＰＥは、ラッチリレー３１を介さずに、直接外部の電源ラインに接続される。電源盤１９は、制御部２０に対して、スタンバイ時に用いるＳＴＢ電源と、ＡＴＭ１の動作時に用いるＯＳ電源とを供給する。なお、電源制御部３０の電源は、電源盤１９のＳＴＢ電源に接続される。
【００４９】
電源制御部３０は、電源制御ロジック３２を有し、制御部２０から入力される浸水検知信号およびＯＳ断信号に基づいて、ラッチリレー３１を制御する。浸水検知信号は、制御部２０の浸水検知部２７が、水位センサ１８から取得した水位に基づいて浸水を検知した際に出力される。ＯＳ断信号は、制御部２０内のＯＳ電源監視部２９がＯＳのシャットダウンの完了を検出した際に出力される。
【００５０】
図９は、電源制御部の構成の一例を示す図である。図９に示すように、電源制御部３０は、ラッチリレー３１と、ＡＮＤゲート３３と、保護回路３４と、バッテリ３５と、スイッチ３６とを有する。
【００５１】
ラッチリレー３１は、電源盤１９の電源ラインＬ１，Ｌ２を開放／接続（ＯＦＦ／ＯＮ）するリレーである。ラッチリレー３１は、リレーＯＦＦ信号が入力されると、開放状態となり、スイッチ３６が押下されると、接続状態となる。ＡＮＤゲート３３は、浸水検知信号とＯＳ断信号が共に「１」（正論理）である場合にリレーＯＦＦ信号を出力する。保護回路３４は、ラッチリレー３１が開放される際に発生する高電圧からＡＮＤゲート３３等を保護する回路である。バッテリ３５は、ラッチリレー３１が開放状態である場合に、ラッチリレー３１を制御して接続状態に遷移させるための電源である。スイッチ３６は、ラッチリレー３１が開放状態となった後で安全が確認された場合に、ＡＴＭ１の電源を投入可能な状態とするため、ラッチリレー３１にバッテリ３５を接続するためのスイッチである。なお、ＡＮＤゲート３３、保護回路３４およびスイッチ３６は、電源制御ロジック３２の一例である。
【００５２】
（ＡＴＭの動作）
次に、実施例１のＡＴＭ１の動作について説明する。まず、浸水検知処理について説明する。図１０は、実施例１の浸水検知処理の一例を示すフローチャートである。
【００５３】
浸水検知部２７の取得部２７１は、水位センサ１８から検出された水位ｈを取得する。取得部２７１は、取得した水位ｈを判定部２７２に出力する。判定部２７２は、時刻ｔにおいて水位ｈを検出したか否かを判定する（ステップＳ１）。判定部２７２は、時刻ｔにおいて水位ｈを検出していないと判定した場合（ステップＳ１：Ｎｏ）、ステップＳ１の判定を繰り返す。
【００５４】
判定部２７２は、時刻ｔにおいて水位ｈを検出したと判定した場合（ステップＳ１：Ｙｅｓ）、水位ｈが第１の所定値Ｈ１未満であるか否かを判定する（ステップＳ２）。判定部２７２は、水位ｈが第１の所定値Ｈ１未満でないと判定した場合（ステップＳ２：Ｎｏ）、浸水情報を検知部２７３に出力し、ステップＳ８に進む。判定部２７２は、水位ｈが第１の所定値Ｈ１未満であると判定した場合（ステップＳ２：Ｙｅｓ）、時刻ｔ’において水位ｈ’を検出したか否かを判定する（ステップＳ３）。判定部２７２は、時刻ｔ’において水位ｈ’を検出していないと判定した場合（ステップＳ３：Ｎｏ）、ステップＳ１に戻る。
【００５５】
判定部２７２は、時刻ｔ’において水位ｈ’を検出したと判定した場合（ステップＳ３：Ｙｅｓ）、水位ｈ’が第１の所定値Ｈ１未満であるか否かを判定する（ステップＳ４）。判定部２７２は、水位ｈ’が第１の所定値Ｈ１未満でないと判定した場合（ステップＳ４：Ｎｏ）、浸水情報を検知部２７３に出力し、ステップＳ８に進む。判定部２７２は、水位ｈ’が第１の所定値Ｈ１未満であると判定した場合（ステップＳ４：Ｙｅｓ）、水位ｈ’が水位ｈを超えるか否かを判定する（ステップＳ５）。判定部２７２は、水位ｈ’が水位ｈ以下であると判定した場合（ステップＳ５：Ｎｏ）、ステップＳ１に戻る。
【００５６】
判定部２７２は、水位ｈ’が水位ｈを超えると判定した場合（ステップＳ５：Ｙｅｓ）、水位ｈの上昇速度ＲＳを算出する（ステップＳ６）。判定部２７２は、算出した上昇速度ＲＳが所定の上昇速度Ｓ以上であるか否かを判定する（ステップＳ７）。判定部２７２は、上昇速度ＲＳが所定の上昇速度Ｓ未満であると判定した場合（ステップＳ７：Ｎｏ）、ステップＳ１に戻る。判定部２７２は、上昇速度ＲＳが所定の上昇速度Ｓ以上であると判定した場合（ステップＳ７：Ｙｅｓ）、浸水情報を検知部２７３に出力する。
【００５７】
検知部２７３は、判定部２７２から浸水情報が入力されると、水害による浸水であると検知する。検知部２７３は、水害による浸水であると検知すると、浸水検知信号を制御部２０および電源制御部３０に出力する（ステップＳ８）。これにより、浸水検知部２７は、水害による浸水を検知することができる。また、浸水検知部２７は、悪戯や利用者が飲み物をこぼした場合等による浸水と、水害による浸水とを判定することができる。
【００５８】
続いて、浸水対策処理について説明する。図１１は、実施例１の浸水対策処理の一例を示すフローチャートである。
【００５９】
制御部２０は、検知部２７３から浸水検知信号が入力されると（ステップＳ１０）、ＡＴＭ１が取引中または顧客待ちのいずれの状態であるかを判定する（ステップＳ１１）。制御部２０は、顧客待ちの状態であると判定した場合（ステップＳ１１：顧客待ち）、表示部１５ａに表示する画面を浸水検知画面に切り替えて（ステップＳ１２）、ステップＳ１９に進む。
【００６０】
一方、制御部２０は、取引中の状態であると判定した場合（ステップＳ１１：取引中）、取引を中止し、表示部１５ａに表示する画面を浸水検知画面に切り替える（ステップＳ１３）。次に、制御部２０は、カードがカード処理ユニット１３内、つまりカードリーダ内にあるか否かを判定する（ステップＳ１４）。制御部２０は、カードがカードリーダ内にあると判定した場合（ステップＳ１４：Ｙｅｓ）、カードを排出し（ステップＳ１５）、ステップＳ１６に進む。なお、制御部２０は、通帳処理ユニット１４内に通帳があると判定した場合にも同様に、通帳を返却する。制御部２０は、カードがカードリーダ内にないと判定した場合（ステップＳ１４：Ｎｏ）、ステップＳ１６に進む。
【００６１】
制御部２０は、入出金部に現金が残っているか否かを判定する（ステップＳ１６）。ここで、入出金部とは、紙幣処理ユニット１６および硬貨処理ユニット１７である。制御部２０は、入出金部に現金が残っていると判定した場合（ステップＳ１６：Ｙｅｓ）、現金を取り込み（ステップＳ１７）、ステップＳ１８に進む。制御部２０は、入出金部に現金が残っていないと判定した場合（ステップＳ１６：Ｎｏ）、ステップＳ１８に進む。
【００６２】
制御部２０は、取引中であった取引に関する取引情報を記憶部２１に記録する（ステップＳ１８）。制御部２０は、シャットダウン処理を実行する（ステップＳ１９）。ＯＳ電源監視部２９は、ＯＳがシャットダウンされたことを検知すると、ＯＳ断信号を電源制御部３０に出力する。これにより、制御部２０は、浸水が検知された場合に、ＯＳをシャットダウンすることができる。また、制御部２０は、動作中に通電しているユニット等を保護することができる。
【００６３】
次に、電源断処理について説明する。図１２は、実施例１の電源断処理の一例を示すフローチャートである。
【００６４】
電源制御部３０は、浸水検知信号およびＯＳ断信号のＡＮＤゲート３３の出力であるリレーＯＦＦ信号を監視する。電源制御部３０は、リレーＯＦＦ信号が「０」または「１」であるか否かを判定する（ステップＳ２０）。電源制御部３０は、リレーＯＦＦ信号が「０」であると判定した場合（ステップＳ２０：「０」）、ステップＳ２０の判定を繰り返す。
【００６５】
電源制御部３０は、リレーＯＦＦ信号が「１」であると判定した場合（ステップＳ２０：「１」）、ラッチリレー３１をオフ（開放）にする（ステップＳ２１）。これにより、電源制御部３０は、スタンバイ電源もオフにするので異常電流の発生を抑えて、データの損失を防止することができる。すなわち、電源制御部３０は、ＡＴＭ１の装置全体について保護することができる。
【００６６】
このように、ＡＴＭ１は、床面からの水位を検出する水位センサから、検出した水位を取得する。また、ＡＴＭ１は、取得した水位が第１の所定値未満であるか否か、または、取得した水位の上昇速度が第２の所定値以上であるか否かを判定する。また、ＡＴＭ１は、判定の結果、取得した水位が第１の所定値以上であると判定した場合、または、取得した水位の上昇速度が第２の所定値以上であると判定した場合に、水害による浸水であると検知する。また、ＡＴＭ１は、検知部が水害による浸水であると検知した場合に、オペレーティングシステムをシャットダウンする。その結果、ＡＴＭ１は、データの損失を防止することができる。
【００６７】
また、ＡＴＭ１の電源制御部３０は、オペレーティングシステムのシャットダウンの完了を示す信号が入力されると、ＡＴＭ１（取引装置）の電源ラインに設けられたラッチリレー３１を切断する。その結果、ＡＴＭ１は、異常電流の発生を抑えて、データの損失を防止することができる。
【実施例２】
【００６８】
上記実施例１では、水害による浸水を検知した場合に、スタンバイ電源もオフにする場合について説明したが、シャットダウン前にジャーナルデータ等を光学メディアにバックアップを行ってもよく、この場合の実施の形態につき、実施例２として説明する。なお、実施例２では、実施例１のＡＴＭ１と同一の構成には同一符号を付すことで、その重複する構成および動作の説明については省略する。
【００６９】
実施例２は、実施例１のＡＴＭ１における浸水対策処理に処理を追加したものであるので、追加部分について説明する。図１３は、実施例２の浸水対策処理の一例を示すフローチャートである。
【００７０】
制御部２０は、ステップＳ１２の浸水検知画面への切り替え、または、ステップＳ１８の取引情報の記録に続いて、次の処理を実行する。制御部２０は、記憶部２１（ＳＳＤ／ＨＤＤ２１ａ）に記憶されたジャーナルデータ等を、外部記録媒体２８に出力してＤＶＤ等の光学メディアにコピーする（ステップＳ３０）。制御部２０は、光学メディアへの書き込みが終了すると、ステップＳ１９に進む。これにより、ＡＴＭ１は、データをバックアップできるので、よりデータの損失を防止することができる。
【００７１】
このように、ＡＴＭ１は、検知部２７３が水害による浸水であると検知した場合に、ジャーナルデータを外部記録媒体に記憶してから、オペレーティングシステムをシャットダウンする。その結果、ＡＴＭ１は、シャットダウン前にジャーナルデータをバックアップできる。従って、よりデータの損失を防止することができる。
【実施例３】
【００７２】
上記実施例２では、ジャーナルデータ等のバックアップ先として、光学メディアを用いたが、ＡＴＭ１の筐体上部に設けたＳＳＤをバックアップ先としてもよく、この場合の実施の形態につき、実施例３として説明する。なお、実施例３では、実施例１，２のＡＴＭ１と同一の構成には同一符号を付すことで、その重複する構成および動作の説明については省略する。
【００７３】
図１４は、実施例３のＡＴＭにおけるＳＳＤの設置位置の一例を示す図である。図１４に示すＡＴＭ３は、実施例１，２のＡＴＭ１と比較して、筐体上部にＳＳＤ５０を有する。
【００７４】
ＳＳＤ５０は、密封して防水処理が施されたＳＳＤである。ＳＳＤ５０は、実施例２の外部記録媒体２８に対応し、例えば、入出力インタフェース２５に設けたＵＳＢ（Universal  Serial  Bus）等の各種インタフェースで制御部２０と接続される。ＡＴＭ３の制御部２０は、水位センサ１８で検出した水位に基づいて、水害による浸水を検知すると、記憶部２１（ＳＳＤ／ＨＤＤ２１ａ）に記憶されたジャーナルデータ等を、入出力インタフェース２５を介して、ＳＳＤ５０にコピーする。制御部２０は、ＳＳＤ５０への書き込みが終了すると、シャットダウン処理を実行する。その後、電源制御部３０は、ラッチリレー３１を制御して電源盤１９の電源ラインを遮断する。
【００７５】
なお、記憶部２１は、通常の動作時には、制御部２０の近傍に配置し、適切なエアフローによる冷却を行うため、記憶部２１自体を筐体上部に配置することは難しい。これに対し、ＳＳＤ５０は、バックアップ時に動作するので、密封されていても動作に問題はない。
【００７６】
実施例２，３によれば、外部記録媒体２８は、光学メディア、または、ＡＴＭ３（取引装置）の上部に設置されたソリッドステートドライブである。その結果、ＡＴＭ１，３は、シャットダウン前にジャーナルデータをバックアップできる。従って、よりデータの損失を防止することができる。
【実施例４】
【００７７】
上記実施例３では、筐体上部に設けたＳＳＤをバックアップ先としたが、記憶部２１に対して防水処理を行うようにしてもよく、この場合の実施の形態につき、実施例４として説明する。なお、実施例４では、実施例１，２のＡＴＭ１と同一の構成には同一符号を付すことで、その重複する構成および動作の説明については省略する。
【００７８】
図１５は、実施例４のＡＴＭにおける防水処理の一例を示す図である。図１５に示す記憶部２１ｂは、通常の動作時には通気口を用いたエアフローにより冷却を行う。記憶部２１ｂは、実施例１の記憶部２１と同様に、筐体下部の制御部２０の近傍に配置される。記憶部２１ｂは、水害による浸水が検知されると、シャッタ５１により通気口を塞ぐことで防水処理を行う。シャッタ５１には、例えば、パッキンを設け、バネ等により記憶部２１ｂの通気口に押し付けられることで防水処理がなされる。また、シャッタ５１の代わりに、記憶部２１ｂの上部に下面が開口した箱を設け、浸水の検知時には、当該箱を記憶部２１ｂに被せることで、記憶部２１ｂの周囲に空気を確保するような構造としてもよい。
【００７９】
実施例４は、実施例２のジャーナルデータ等をＤＶＤへコピーする処理に代えて、記憶部２１ｂへ防水処理を行うものであるので、変更部分について説明する。図１６は、実施例４の浸水対策処理の一例を示すフローチャートである。
【００８０】
制御部２０は、ステップＳ１２の浸水検知画面への切り替え、または、ステップＳ１８の取引情報の記録に続いて、次の処理を実行する。制御部２０は、シャッタ５１を動作させて、記憶部２１ｂ（ＳＳＤ／ＨＤＤ）へ防水処理を行う（ステップＳ３１）。制御部２０は、防水処理が終了すると、ステップＳ１９に進む。これにより、ＡＴＭ１は、記憶部２１ｂのＳＳＤ／ＨＤＤを浸水から保護するので、データの損失を防止することができる。
【００８１】
このように、ＡＴＭ１は、水害による浸水であると検知した場合に、ジャーナルデータを記憶する記憶部２１ｂに対して防水処理を行う。その結果、記憶部２１ｂのＳＳＤ／ＨＤＤを浸水から保護するので、データの損失を防止することができる。
【００８２】
なお、上記各実施例では、取引装置としてＡＴＭを挙げたが、これに限定されない。例えば、自動販売機等のように、通常無人で動作し、水害による浸水の恐れがある装置に対しても適用できる。
【符号の説明】
【００８３】
１，３  ＡＴＭ
１１  人体センサ
１２  スピーカ
１３  カード処理ユニット
１３ａ  カード投入口
１４  通帳処理ユニット
１４ａ  通帳投入口
１５  表示ユニット
１５ａ  表示部
１５ｂ  タッチパネル
１６  紙幣処理ユニット
１６ａ  紙幣入出金口
１７  硬貨処理ユニット
１７ａ  硬貨入出金口
１８  水位センサ
１９  電源盤
２０  制御部
２１，２１ｂ  記憶部
２１ａ  ＳＳＤ／ＨＤＤ
２２  ＲＡＭ
２３  ＣＰＵ
２４  通信制御部
２５  入出力インタフェース
２６  グラフィック処理部
２７  浸水検知部
２８  外部記録媒体
２９  ＯＳ電源監視部
３０  電源制御部
３１  ラッチリレー
３２  電源制御ロジック
３３  ＡＮＤゲート
３４  保護回路
３５  バッテリ
３６  スイッチ
５０  ＳＳＤ
５１  シャッタ
２７１  取得部
２７２  判定部
２７３  検知部
【図１】
2020119330.tif 000003
【図２】
2020119330.tif 000004
【図３】
2020119330.tif 000005
【図４】
2020119330.tif 000006
【図５】
2020119330.tif 000007
【図６】
2020119330.tif 000008
【図７】
2020119330.tif 000009
【図８】
2020119330.tif 000010
【図９】
2020119330.tif 000011
【図１０】
2020119330.tif 000012
【図１１】
2020119330.tif 000013
【図１２】
2020119330.tif 000014
【図１３】
2020119330.tif 000015
【図１４】
2020119330.tif 000016
【図１５】
2020119330.tif 000017
【図１６】
2020119330.tif 000018